(57)【要約】【課題】後端部の重量比率が高くても耐摩耗性及び把持安定性に優れるグリップの提供。【解決手段】ゴルフクラブ用グリップ８は、シャフト６が挿入される筒部１０とエンドキャップ部３０とを有している。筒部１０の外面が、最大幅が０．２ｍｍ以上１．２ｍｍ以下である複数の微小突起が０．０５ｍｍ以上０．７ｍｍ以下の間隔で配置された微小突起領域４０を有している。微小突起領域４０が、グリップ後端３５からの軸方向距離が０ｍｍから２１０ｍｍまでの第１領域Ｒ１に配置されている。グリップ８では、後端から５０ｍｍまでの重量が、１０ｇ以上であり且つグリップ総重量の３９％以上である。筒部１０の外面が周方向において正面側と裏側とに区画されるとき、第１領域Ｒ１において、正面側における微小突起領域４０の占有率が、裏側における微小突起領域４０の占有率よりも大きくてもよい。筒部１０が、バックラインを有していてもよい。【選択図】図４
2020182545.tif 000002
【特許請求の範囲】
【請求項１】
シャフトが挿入される筒部とエンドキャップ部とを有しており、
前記筒部の外面が、最大幅が０．２ｍｍ以上１．２ｍｍ以下である複数の微小突起が０．０５ｍｍ以上０．７ｍｍ以下の間隔で配置された微小突起領域を有しており、
前記微小突起領域が、グリップ後端からの軸方向距離が０ｍｍから２１０ｍｍまでの第１領域に配置されており、
後端から５０ｍｍまでの重量が、１０ｇ以上であり且つグリップ総重量の３９％以上であるゴルフクラブ用グリップ。
【請求項２】
前記筒部の外面が周方向において正面側と裏側とに区画されるとき、前記第１領域において、前記正面側における前記微小突起領域の占有率が、前記裏側における前記微小突起領域の占有率よりも大きい請求項１に記載のグリップ。
【請求項３】
前記筒部が、バックラインを有している請求項１又は２に記載のグリップ。
【請求項４】
前記第１領域が、グリップ後端からの軸方向距離が０ｍｍから１３０ｍｍまでの第２領域と、グリップ後端からの軸方向距離が１３０ｍｍから２１０ｍｍまでの第３領域とに区画されるとき、
前記第３領域における前記微小突起領域の面積が、前記第２領域における前記微小突起領域の面積よりも大きい請求項１から３のいずれか１項に記載のグリップ。
【請求項５】
前記グリップの正面の周方向位置が９０°とされ、グリップ後端側から見たときの時計回りで周方向範囲が決定されるとき、
前記第１領域Ｒ１において、１８０°から２２５°までの周方向範囲における前記微小突起領域の占有率が、２２５°から２７０°までの周方向範囲における前記微小突起領域の占有率よりも大きく、
前記第１領域Ｒ１において、３１５°から３６０°までの周方向範囲における前記微小突起領域の占有率が、２７０°から３１５°までの周方向範囲における前記微小突起領域の占有率よりも大きい請求項１から４のいずれか１項に記載のグリップ。
【請求項６】
前記第１領域Ｒ１において、２４５°から２９５°までの周方向範囲における前記微小突起領域の占有率が１０％以下である請求項５に記載のグリップ。
【請求項７】
前記エンドキャップ部の厚さが７ｍｍ以上である請求項１から６のいずれか１項に記載のグリップ。
【請求項８】
前記エンドキャップ部に、比重が７以上の金属重量物が内蔵されている請求項１から７のいずれか１項に記載のグリップ。
【発明の詳細な説明】
【技術分野】
【０００１】
本開示は、ゴルフクラブ用グリップに関する。
【背景技術】
【０００２】
ゴルフクラブにおいて、グリップは、ゴルファーに握られる部分である。特開２０１９−６５９号公報は、グリップ中央部の第一区域Ｐ１における凹み占有率が小さいグリップを開示する。
【先行技術文献】
【特許文献】
【０００３】
【特許文献１】特開２０１９−６５９号公報
【発明の概要】
【発明が解決しようとする課題】
【０００４】
グリップの後端部における重量比率を高めることで、ヘッドスピードが向上することが判明した。しかし、このグリップにおける不都合も明らかとなった。
【０００５】
本開示は、後端部の重量比率が高くても耐摩耗性及び把持安定性に優れたグリップを提供する。
【課題を解決するための手段】
【０００６】
一つの態様では、ゴルフクラブ用グリップは、シャフトが挿入される筒部とエンドキャップ部とを有している。前記筒部の外面が、最大幅が０．２ｍｍ以上１．２ｍｍ以下である複数の微小突起が０．０５ｍｍ以上０．７ｍｍ以下の間隔で配置された微小突起領域を有している。前記微小突起領域が、グリップ後端からの軸方向距離が０ｍｍから２１０ｍｍまでの第１領域に配置されている。後端から５０ｍｍまでの重量が、１０ｇ以上であり且つグリップ総重量の３９％以上である。
【発明の効果】
【０００７】
一つの側面として、後端部の重量比率が高くても耐摩耗性及び把持安定性に優れたグリップが提供されうる。
【図面の簡単な説明】
【０００８】
【図１】図１は、第１実施形態のグリップが装着されたゴルフクラブを示す。
【図２】図２は、図１のゴルフクラブにおけるグリップ装着部分の断面図である。
【図３】図３は、図２のＡ−Ａ線に沿った断面図である。
【図４】図４（ａ）は前記グリップを正面（９０°方向）からみた正面図であり、図４（ｂ）は、図４（ａ）における微小突起領域のみを抜き出した正面図である。
【図５】図５（ａ）は、前記グリップを右側面（１８０°方向）からみた右側面図であり、図５（ｂ）は図５（ａ）における微小突起領域のみを抜き出した右側面図である。
【図６】図６（ａ）は、前記グリップを左側面（０°方向）からみた左側面図であり、図６（ｂ）は図６（ａ）における微小突起領域のみを抜き出した左側面図である。
【図７】図７（ａ）は、前記グリップを裏面（２７０°方向）からみた背面図であり、図７（ｂ）は図７（ａ）における微小突起領域のみを抜き出した背面図である。
【図８】図８は、第２実施形態のグリップにシャフトが挿入された状態を示す断面図である。
【発明を実施するための形態】
【０００９】
多くのゴルファーのスイングを詳細に分析した結果、グリップの後端部の重量比率を高めることで、コックが維持されやすくなることが分かった。コックとは、スイング中における手首の折れのことである。コックが維持されることで、ヘッド軌道が胴体（回転中心）に近づき、スイング時におけるクラブの実効慣性モーメントが減少する。この結果、スイングスピード及びヘッドスピードが向上する。
【００１０】
スイングスピードが増加すると、クラブに作用する遠心力が増加する。また、クラブの加速度が増加すると、手からグリップに作用する押圧力も増加する。これらの結果、把持されているグリップがぐらつきやすくなったり、すっぽ抜けそうになったりする。本開示のグリップは、このような知見に基づく。
【００１１】
以下、適宜図面が参照されつつ、実施形態が詳細に説明される。
【００１２】
なお、特に説明しない限り、本願において「軸方向」とは、グリップに挿入されたシャフトの中心線の方向を意味する。特に説明しない限り、本願において「周方向」とは、グリップに挿入されたシャフトの周方向を意味する。特に説明しない限り、本願において「径方向」とは、グリップに挿入されたシャフトの半径方向を意味する。本開示はグリップに関するものであるが、単独のグリップは変形しており、グリップにシャフトが挿入されたときにグリップの形状が整う。このため、グリップに挿入されたシャフトを基準として、軸方向、周方向及び径方向を定める。
【００１３】
図１は、一実施形態に係るグリップ８が装着されたゴルフクラブ２の全体図である。ゴルフクラブ２は、ゴルフクラブヘッド４、ゴルフクラブシャフト６及びゴルフクラブ用グリップ８を有する。ヘッド４は、シャフト６の先端部に取り付けられている。グリップ８は、シャフト６の後端部に取り付けられている。シャフトは軽量であってもよく、例えば３０ｇ以上４０ｇ以下であってもよい。
【００１４】
ヘッド４として、ウッド型ヘッド、ハイブリッド型ヘッド、アイアン型ヘッド及びパターヘッドが例示される。本実施形態では、ヘッド４は、ウッド型である。シャフト６として、スチールシャフト及びカーボンシャフトが例示される。本実施形態では、シャフト６は、カーボンシャフトである。このシャフト６は、積層されたプリプレグによって形成されている。
【００１５】
本実施形態は、ヘッドスピードが大きなクラブにおいて効果的である。このため、パターを除くクラブが好ましい。更には、ウッド型ゴルフクラブ、ハイブリッド型ゴルフクラブ及びアイアン型ゴルフクラブが好ましく、ウッド型ゴルフクラブ及びハイブリッド型ゴルフクラブがより好ましく、ウッド型ゴルフクラブがより好ましく、ドライバーがより好ましい。
【００１６】
図２は、グリップ８が配置された部分におけるゴルフクラブ２の断面図である。図２は、軸方向に沿った断面図である。
【００１７】
グリップ８は、筒部１０とエンドキャップ部３０とを有する。
【００１８】
筒部１０は、外面１２と内面１４とを有する。外面１２は、ゴルファーによって握られる把持面を構成している。内面１４は、シャフト６の外周面６ａと接着されている。図示は省略されているが、シャフト６の外周面６ａと内面１４との間に両面テープが存在する。この両面テープにより、グリップ８はシャフト６に固定されている。
【００１９】
筒部１０の内側に、シャフト挿入孔１８が形成されている。シャフト挿入孔１８は、グリップ８の先端２０で開口している。このシャフト挿入孔１８に、シャフト６が挿入されている。
【００２０】
エンドキャップ部３０は、筒部１０の後端を塞いでいる。エンドキャップ部３０は、エンド外周面３２と、キャップ後端面３４と、貫通孔３６とを有する。エンド外周面３２は、外面１２と連続した面を構成している。キャップ後端面３４は、グリップ８の後端面を構成している。すなわち、キャップ後端面３４は、グリップ後端面でもある。グリップ後端面３４は、グリップ後端３５を含む。本実施形態ではグリップ後端面３４が平面であるが、グリップ後端面３４は、例えば凸曲面とされうる。この場合、当該凸曲面の頂点が、グリップ後端３５である。貫通孔３６は、軸方向に沿ってエンドキャップ部３０を貫通している。シャフト挿入孔１８にシャフト６を挿入する際に、貫通孔３６は空気の抜け穴として機能する。
【００２１】
図２において２点鎖線で示されるのは、筒部１０とエンドキャップ部３０との境界である。境界ｋ１は、その軸方向位置がシャフト挿入孔１８の後端に位置する平面である。境界ｋ１よりもバック側の部分がエンドキャップ部３０である。境界ｋ１よりもチップ側の部分が筒部１０である。エンドキャップ部３０は、シャフト挿入孔１８を有さない部分である。なお、バック側とはグリップ後端面３４の側を意味し、チップ側とは先端２０の側を意味する。
【００２２】
図３は、図２のＡ−Ａ線に沿った断面図である。図３は、シャフト６の中心線Ｚ１に対して垂直は平面における断面図である。
【００２３】
筒部１０は、バックライン２２を有する。バックライン２２は、周方向における１箇所において肉厚が厚くされた部分である。図３が示すように、シャフト６が挿入されることで、バックライン２２は突出部となる。バックライン２２は、軸方向に延びている。バックライン２２の軸方向長さは、１５０ｍｍ以上が好ましく、１７０ｍｍ以上が好ましい。後述される第１領域Ｒ１の長さを考慮すると、バックライン２２の軸方向長さは、２５０ｍｍ以下が好ましい。軸方向において、第１領域Ｒ１の８０％以上にバックライン２２が設けられているのが好ましく、９０％以上にバックライン２２が設けられているのが好ましい。第１領域Ｒ１の１００％にバックライン２２が設けられてもよい。バックライン２２の存在に起因して、シャフト６が挿入されたときのグリップ８の断面は非円形となり、楕円形に近い形状となる。なお筒部１０は、バックライン２２を有していなくてもよい。
【００２４】
本願では、「第１領域」、「第２領域」、「第３領域」、「正面側」及び「裏側」が定義される。
【００２５】
第１領域は、軸方向における領域である。図２が示すように、第１領域Ｒ１は、グリップ後端３５から軸方向に２１０ｍｍ隔てた地点からグリップ後端３５までの領域である。換言すれば、第１領域Ｒ１は、グリップ後端３５からの軸方向距離が０ｍｍから２１０ｍｍまでの領域である。
【００２６】
第２領域は、軸方向における領域である。図２が示すように、第２領域Ｒ２は、グリップ後端３５から軸方向に１３０ｍｍ隔てた地点からグリップ後端３５までの領域である。換言すれば、第２領域Ｒ２は、グリップ後端３５からの軸方向距離が０ｍｍから１３０ｍｍまでの領域である。
【００２７】
第３領域は、軸方向における領域である。図２が示すように、第３領域Ｒ３は、グリップ後端３５から軸方向に２１０ｍｍ隔てた地点から、グリップ後端３５から軸方向に１３０ｍｍ隔てた地点までの領域である。換言すれば、第３領域Ｒ３は、グリップ後端３５からの軸方向距離が１３０ｍｍから２１０ｍｍまでの領域である。
【００２８】
正面側とは、周方向における領域である。図３が示すように、バックライン２２の存在に起因して、グリップ肉厚が最大である周方向位置が存在する。この周方向位置がバックライン位置ＢＬ１とされる。グリップ肉厚が最大である部分が周方向に幅を有している場合、この幅の中心位置がバックライン位置ＢＬ１とされる。
【００２９】
本願では、グリップ８の断面をバック側から見たときの周方向位置が、角度で指定される。図３が示すように、バックライン位置ＢＬ１の周方向位置が、２７０°に設定される。バックライン位置ＢＬ１から周方向に１８０°隔てた位置が、正面基準位置ＣＦ１とされる。正面基準位置ＣＦ１の周方向位置が、９０°に設定される。つまり、グリップ８の正面の周方向位置が、９０°に設定される。正面基準位置ＣＦ１から反時計回りに９０°隔てた位置が、０°とされる。正面基準位置ＣＦ１から時計回りに９０°隔てた位置が、１８０°とされる。このようにして、グリップ８の断面をバック側から見たときの周方向位置が、０°から３６０°までの時計回りの角度で指定される。
【００３０】
正面側Ｓ１とは、周方向位置が０°から１８０°までの領域である。周方向における正面側Ｓ１の中心位置は、正面基準位置ＣＦ１である。裏側Ｓ２とは、周方向位置が１８０°から３６０°までの領域である。周方向における裏側Ｓ２の中心位置は、バックライン位置ＢＬ１である。
【００３１】
記載の省略のため、本願では、周方向位置がθ１°からθ２°までの領域Ｓが、周方向範囲（θ１°〜θ２°）とも表記される。よって例えば正面側Ｓ１は、周方向範囲（０°〜１８０°）である。
【００３２】
図４（ａ）はグリップ８を正面基準位置ＣＦ１（９０°方向）から見た正面図であり、図４（ｂ）は図４（ａ）から微小突起領域を抽出した図である。図５（ａ）はグリップ８を１８０°方向から見た右側面図であり、図５（ｂ）は図５（ａ）から微小突起領域を抽出した図である。図６（ａ）はグリップ８を０°方向から見た左側面図であり、図６（ｂ）は図６（ａ）から微小突起領域を抽出した図である。図６（ａ）及び図６（ｂ）では、正面基準位置ＣＦ１が下側となっていることに留意されたい。図７（ａ）はグリップ８をバックライン位置ＢＬ１（２７０°方向）から見た背面図であり、図７（ｂ）は図７（ａ）から微小突起領域を抽出した図である。
【００３３】
なお、図４（ａ）〜図７（ａ）で黒く塗りつぶされている部分は、ブランド名、ロゴ等が入れられる部分である。
【００３４】
図４（ｂ）から図７（ｂ）がよく示すように、筒部１０の外面１２は、微小突起領域４０を有する。微小突起領域４０は、第１領域Ｒ１に配置されている。微小突起領域４０は、第２領域Ｒ２に配置されている。微小突起領域４０は、第３領域Ｒ３に配置されている。第１領域Ｒ１よりも先端２０側には、微小突起領域４０は配置されていない。また、第１領域Ｒ１において、グリップ後端３５からの軸方向距離が２０ｍｍ以内の領域には、微小突起領域４０は設けられていない。また、グリップ後端３５から１３０ｍｍ隔てた位置には、微小突起領域４０が設けられていない。なお、第１領域Ｒ１よりも先端２０側に微小突起領域４０が配置されていてもよいことは言うまでもない。
【００３５】
図４（ｂ）の拡大部は、微小突起領域４０の拡大図である。微小突起領域４０は、複数の第１細溝Ｇ１を有する。第１細溝Ｇ１は、第１方向に沿って延びている。この第１方向は限定されない。更に微小突起領域４０は、第２細溝Ｇ２を有する。第２細溝Ｇ２は、第２方向に延びている。この第２方向は、前記第１方向とは異なる限り、限定されない。本実施形態では、第２方向は第１方向に対して垂直である。
【００３６】
微小突起領域４０は、複数の微小突起Ｐ１を有する。微小突起Ｐ１は、最大幅Ｗ１と、最小幅Ｗ２とを有する。最大幅Ｗ１及び最小幅Ｗ２は、平面視における幅である。本実施形態では、平面視において微小突起Ｐ１は正方形である。このため、最大幅Ｗ１は当該正方向の対角線の長さであり、最小幅Ｗ２は当該正方形の１辺の長さである。微小突起Ｐ１の平面視における形状は限定されない。例えば、平面視において微小突起Ｐ１が円形であってもよく、その場合、最大幅Ｗ１は最小幅Ｗ２に等しい。微小突起Ｐ１の欠け（チッピング）を抑制する観点から、微小突起Ｐ１の最大幅は、０．２ｍｍ以上が好ましく、０．３ｍｍ以上がより好ましく、０．４ｍｍ以上がより好ましい。防滑性能の観点から、微小突起Ｐ１の最大幅Ｗ１は、１．２ｍｍ以下が好ましく、１．１ｍｍ以下がより好ましく、１．０ｍｍ以下がより好ましい。
【００３７】
複数の第１細溝Ｇ１が一定の間隔で配置されている。本実施形態では、この一定の間隔が、前記正方形の一辺の長さである。複数の第２細溝Ｇ２が一定の間隔で配置されている。本実施形態では、第２細溝Ｇ２間の間隔は、第１細溝Ｇ１間の間隔と同じである。本実施形態では、微小突起Ｐ１は、複数の第１細溝Ｇ１と複数の第２細溝Ｇ２とが交差した結果として残った島である。微小突起Ｐ１は、このような島でなくてもよい。
【００３８】
微小突起領域４０では、２５ｍｍ２あたりの細溝Ｇ１、Ｇ２の占有率は、好ましくは１０％以上５０％以下である。「２５ｍｍ２あたり」としたのは、細溝の占有率を規定するための単位面積を設定する趣旨である。
【００３９】
細溝Ｇ１の幅ｄ１は、好ましくは０．０５ｍｍ以上０．７ｍｍ以下であり、より好ましくは０．０５ｍｍ以上０．５ｍｍ以下である。細溝Ｇ２の幅ｄ２は、好ましくは０．０５ｍｍ以上０．７ｍｍ以下であり、より好ましくは０．０５ｍｍ以上０．５ｍｍ以下である。細溝Ｇ１の深さは、好ましくは０．１ｍｍ以上１．０ｍｍ以下であり、より好ましくは０．２ｍｍ以上０．９ｍｍ以下である。細溝Ｇ２の深さは、好ましくは０．１ｍｍ以上１．０ｍｍ以下であり、より好ましくは０．２ｍｍ以上０．９ｍｍ以下である。
【００４０】
微小突起領域４０では、複数の微小突起Ｐ１が並んでいる。微小突起Ｐ１同士の間隔ｔ１は、好ましくは０．０５ｍｍ以上０．７ｍｍ以下であり、より好ましくは０．０５ｍｍ以上０．５ｍｍ以下である。間隔ｔ１は、微小突起Ｐ１同士の最小距離である。本実施形態では、この間隔ｔ１は、前記幅ｄ１、ｄ２に等しい。微小突起Ｐ１の高さは、好ましくは０．１ｍｍ以上１．０ｍｍ以下であり、より好ましくは０．２ｍｍ以上０．９ｍｍ以下である。本実施形態では、微小突起Ｐ１の高さは、細溝Ｇ１、Ｇ２の深さに等しい。
【００４１】
微小突起領域４０では、２５ｍｍ２あたりの微小突起Ｐ１の数は、１０以上が好ましく、１５以上がより好ましく、２０以上がより好ましい。２５ｍｍ２あたりの微小突起Ｐ１の数は、４０以下が好ましく、３５以下がより好ましく、３０以下がより好ましい。「２５ｍｍ２あたり」としたのは、微小突起Ｐ１の密度を規定するための単位面積を設定する趣旨である。
【００４２】
上述の通り、筒部１０の外面１２は、正面側Ｓ１と裏側Ｓ２とに区画される。図４（ｂ）と図７（ｂ）との対比から明らかなように、第１領域Ｒ１では、正面側Ｓ１における微小突起領域４０の占有率が、裏側Ｓ２における微小突起領域４０の占有率よりも大きい。また、第１領域Ｒ１では、正面側Ｓ１における微小突起領域４０の面積が、裏側Ｓ２における微小突起領域４０の面積よりも大きい。占有率とは、その領域の全体面積に対する、微小突起領域４０の面積の割合である。
【００４３】
図４（ｂ）と図７（ｂ）との対比から明らかなように、第２領域Ｒ２では、正面側Ｓ１における微小突起領域４０の占有率が、裏側Ｓ２における微小突起領域４０の占有率よりも大きい。また、第２領域Ｒ２では、正面側Ｓ１における微小突起領域４０の面積が、裏側Ｓ２における微小突起領域４０の面積よりも大きい。
【００４４】
図４（ｂ）と図７（ｂ）との対比から明らかなように、第３領域Ｒ３では、正面側Ｓ１における微小突起領域４０の占有率が、裏側Ｓ２における微小突起領域４０の占有率よりも大きい。また、第３領域Ｒ３では、正面側Ｓ１における微小突起領域４０の面積が、裏側Ｓ２における微小突起領域４０の面積よりも大きい。
【００４５】
図４（ｂ）、図５（ｂ）及び図６（ｂ）に示されるように、第３領域Ｒ３における微小突起領域４０の面積は、第２領域Ｒ２における微小突起領域４０の面積よりも大きい。
【００４６】
図７（ｂ）が示すように、裏側Ｓ２では、微小突起領域４０の面積が小さい。特に、バックライン２２の近傍では、微小突起領域４０の面積が小さい。
【００４７】
図７（ｂ）が示すように、第１領域Ｒ１において、裏側Ｓ２は、微小突起領域４０の占有率が小さい削減領域４２を有する。本実施形態では、周方向範囲（２４５°〜２９５°）は、削減領域４２である。本実施形態では、周方向範囲（２３５°〜３０５°）は、削減領域４２である。本実施形態では、周方向範囲（２２５°〜３１５°）は、削減領域４２である。削減領域４２における微小突起領域４０の占有率は、１０％以下が好ましく、５％以下がより好ましく、０％がより好ましい。グリップ８では、削減領域４２における微小突起領域４０の占有率は０％である。
【００４８】
図７（ａ）が示すように、バックライン２２の表面には、縦溝４４が設けられている。削減領域４２に、縦溝４４が設けられている。
【００４９】
バックライン２２の近傍では、ランド領域の占有率が高い。ランド領域とは、あらゆる凹部がない領域である。ランド領域には、微小突起領域、溝等はない。第１領域Ｒ１では、周方向範囲（２４５°〜２９５°）におけるランド領域の占有率が、８０％以上、更には９０％以上である。周方向範囲（２４５°〜２９５°）には、縦溝４４が設けられている。周方向範囲（２４５°〜２９５°）におけるランド領域の占有率は、１００％未満である。
【００５０】
図５（ｂ）と図７（ｂ）との対比から明らかなように、第１領域Ｒ１では、周方向範囲（９０°〜２７０°）における微小突起領域４０の占有率が、裏側Ｓ２における微小突起領域４０の占有率よりも大きい。第１領域Ｒ１では、周方向範囲（９０°〜２７０°）における微小突起領域４０の面積が、裏側Ｓ２における微小突起領域４０の面積よりも大きい。第２領域Ｒ２では、周方向範囲（９０°〜２７０°）における微小突起領域４０の占有率が、裏側Ｓ２における微小突起領域４０の占有率よりも大きい。第２領域Ｒ２では、周方向範囲（９０°〜２７０°）における微小突起領域４０の面積が、裏側Ｓ２における微小突起領域４０の面積よりも大きい。第３領域Ｒ３では、周方向範囲（９０°〜２７０°）における微小突起領域４０の占有率が、裏側Ｓ２における微小突起領域４０の占有率よりも大きい。第３領域Ｒ３では、周方向範囲（９０°〜２７０°）における微小突起領域４０の面積が、裏側Ｓ２における微小突起領域４０の面積よりも大きい。
【００５１】
図５（ｂ）と図７（ｂ）との対比から明らかなように、第１領域Ｒ１では、周方向範囲（１３５°〜２２５°）における微小突起領域４０の占有率が、周方向範囲（２２５°〜３１５°）における微小突起領域４０の占有率よりも大きい。第１領域Ｒ１では、周方向範囲（１３５°〜２２５°）における微小突起領域４０の面積が、周方向範囲（２２５°〜３１５°）における微小突起領域４０の面積よりも大きい。第２領域Ｒ２では、周方向範囲（１３５°〜２２５°）における微小突起領域４０の占有率が、周方向範囲（２２５°〜３１５°）における微小突起領域４０の占有率よりも大きい。第２領域Ｒ２では、周方向範囲（１３５°〜２２５°）における微小突起領域４０の面積が、周方向範囲（２２５°〜３１５°）における微小突起領域４０の面積よりも大きい。第３領域Ｒ３では、周方向範囲（１３５°〜２２５°）における微小突起領域４０の占有率が、周方向範囲（２２５°〜３１５°）における微小突起領域４０の占有率よりも大きい。第３領域Ｒ３では、周方向範囲（１３５°〜２２５°）における微小突起領域４０の面積が、周方向範囲（２２５°〜３１５°）における微小突起領域４０の面積よりも大きい。
【００５２】
図６（ｂ）と図７（ｂ）との対比から明らかなように、第１領域Ｒ１では、周方向範囲（２７０°〜９０°）における微小突起領域４０の占有率が、裏側Ｓ２における微小突起領域４０の占有率よりも大きい。第１領域Ｒ１では、周方向範囲（２７０°〜９０°）における微小突起領域４０の面積が、裏側Ｓ２における微小突起領域４０の面積よりも大きい。第２領域Ｒ２では、周方向範囲（２７０°〜９０°）における微小突起領域４０の占有率が、裏側Ｓ２における微小突起領域４０の占有率よりも大きい。第２領域Ｒ２では、周方向範囲（２７０°〜９０°）における微小突起領域４０の面積が、裏側Ｓ２における微小突起領域４０の面積よりも大きい。第３領域Ｒ３では、周方向範囲（２７０°〜９０°）における微小突起領域４０の占有率が、裏側Ｓ２における微小突起領域４０の占有率よりも大きい。第３領域Ｒ３では、周方向範囲（２７０°〜９０°）における微小突起領域４０の面積が、裏側Ｓ２における微小突起領域４０の面積よりも大きい。
【００５３】
なお、周方向範囲（２７０°〜９０°）とは、周方向位置が２７０°から９０°までの時計回りの領域である。周方向範囲（２７０°〜９０°）は、３６０°（０°）を中心とする１８０°の幅の領域であり、図３における左側半周の領域である。このように、本願において、周方向範囲（θ１°〜θ２°）とは、時計回りでθ１°からθ２°までの領域を意味する。つまり、周方向範囲は、時計回りで規定される。
【００５４】
図６（ｂ）と図７（ｂ）との対比から明らかなように、第１領域Ｒ１では、周方向範囲（３１５°〜４５°）における微小突起領域４０の占有率が、周方向範囲（２２５°〜３１５°）における微小突起領域４０の占有率よりも大きい。第１領域Ｒ１では、周方向範囲（３１５°〜４５°）における微小突起領域４０の面積が、周方向範囲（２２５°〜３１５°）における微小突起領域４０の面積よりも大きい。第２領域Ｒ２では、周方向範囲（３１５°〜４５°）における微小突起領域４０の占有率が、周方向範囲（２２５°〜３１５°）における微小突起領域４０の占有率よりも大きい。第２領域Ｒ２では、周方向範囲（３１５°〜４５°）における微小突起領域４０の面積が、周方向範囲（２２５°〜３１５°）における微小突起領域４０の面積よりも大きい。第３領域Ｒ３では、周方向範囲（３１５°〜４５°）における微小突起領域４０の占有率が、周方向範囲（２２５°〜３１５°）における微小突起領域４０の占有率よりも大きい。第３領域Ｒ３では、周方向範囲（３１５°〜４５°）における微小突起領域４０の面積が、周方向範囲（２２５°〜３１５°）における微小突起領域４０の面積よりも大きい。
【００５５】
図７（ｂ）から明らかなように、第１領域Ｒ１では、周方向範囲（１８０°〜２２５°）における微小突起領域４０の占有率が、周方向範囲（２２５°〜２７０°）における微小突起領域４０の占有率よりも大きい。第１領域Ｒ１では、周方向範囲（１８０°〜２２５°）における微小突起領域４０の面積が、周方向範囲（２２５°〜２７０°）における微小突起領域４０の面積よりも大きい。第２領域Ｒ２では、周方向範囲（１８０°〜２２５°）における微小突起領域４０の占有率が、周方向範囲（２２５°〜２７０°）における微小突起領域４０の占有率よりも大きい。第２領域Ｒ２では、周方向範囲（１８０°〜２２５°）における微小突起領域４０の面積が、周方向範囲（２２５°〜２７０°）における微小突起領域４０の面積よりも大きい。第３領域Ｒ３では、周方向範囲（１８０°〜２２５°）における微小突起領域４０の占有率が、周方向範囲（２２５°〜２７０°）における微小突起領域４０の占有率よりも大きい。第３領域Ｒ３では、周方向範囲（１８０°〜２２５°）における微小突起領域４０の面積が、周方向範囲（２２５°〜２７０°）における微小突起領域４０の面積よりも大きい。
【００５６】
図７（ｂ）から明らかなように、第１領域Ｒ１では、周方向範囲（３１５°〜３６０°）における微小突起領域４０の占有率が、周方向範囲（２７０°〜３１５°）における微小突起領域４０の占有率よりも大きい。第１領域Ｒ１では、周方向範囲（３１５°〜３６０°）における微小突起領域４０の面積が、周方向範囲（２７０°〜３１５°）における微小突起領域４０の面積よりも大きい。第２領域Ｒ２では、周方向範囲（３１５°〜３６０°）における微小突起領域４０の占有率が、周方向範囲（２７０°〜３１５°）における微小突起領域４０の占有率よりも大きい。第２領域Ｒ２では、周方向範囲（３１５°〜３６０°）における微小突起領域４０の面積が、周方向範囲（２７０°〜３１５°）における微小突起領域４０の面積よりも大きい。第３領域Ｒ３では、周方向範囲（３１５°〜３６０°）における微小突起領域４０の占有率が、周方向範囲（２７０°〜３１５°）における微小突起領域４０の占有率よりも大きい。第３領域Ｒ３では、周方向範囲（３１５°〜３６０°）における微小突起領域４０の面積が、周方向範囲（２７０°〜３１５°）における微小突起領域４０の面積よりも大きい。
【００５７】
図４において両矢印Ｒ５０で示されるのは、グリップ後端３５から５０ｍｍまでの領域である。この５０ｍｍは、軸方向距離である。グリップ８では、グリップ後端３５から５０ｍｍまでの領域Ｒ５０の重量が、Ｗｂとも称される。グリップ８では、Ｗｂが１０ｇ以上である。また、グリップ８では、重量Ｗｂがグリップ重量Ｗｇの３９％以上である。
【００５８】
図２において両矢印Ｅ１で示されるのは、エンドキャップ部３０の厚さである。エンドキャップ部３０の厚さＥ１は、軸方向に沿って測定される。グリップ８では、厚さＥ１が７ｍｍ以上である。
【００５９】
［効果］
このグリップ８は、以下のような効果を奏する。
【００６０】
グリップ８では、グリップ後端３５から５０ｍｍまでの領域Ｒ５０の重量割合が高い。この重量配分により、コックが維持されやすくなり、ヘッドスピード及びスイングスピードが向上する。スイングスピードが増加すると、クラブに作用する遠心力が増加する。また、クラブの加速度が高まることで、手からグリップに作用する押圧力も増加する。これらの結果、把持されているグリップがぐらつきやすくなる。また、スイング中にグリップ８が手から抜けそうになる。
【００６１】
微小突起領域４０は、グリップ８と手との間の摩擦力を高め、グリップ８のぐらつきを抑制しうる。一方、微小突起領域４０の設置により耐摩耗性が低下しうる。しかし、微小突起領域４０の配置を適切な領域に限定することで、耐摩耗性の低下を抑制し、耐久性が向上する。
【００６２】
ゴルファーの手によって握られる領域は、実質的に、第１領域Ｒ１であることが分かった。更に、右利きゴルファーの場合、第２領域Ｒ２が左手によって握られる領域であり、第１領域Ｒ１が右手によって握られる領域であることが分かった。左利きゴルファーの場合、第２領域Ｒ２が右手によって握られる領域であり、第１領域Ｒ１が左手によって握られる領域であることが分かった。以下、右利きゴルファーに基づいて説明がなされるが、左利きゴルファーの場合も、右手と左手とが入れ替わるだけで、効果は同じである。
【００６３】
グリップ８では、第１領域Ｒ１において、正面側Ｓ１における微小突起領域４０の占有率が、裏側Ｓ２における微小突起領域４０の占有率よりも大きい。また、第１領域Ｒ１では、正面側Ｓ１における微小突起領域４０の面積が、裏側Ｓ２における微小突起領域４０の面積よりも大きい。この関係は、第２領域Ｒ２及び第３領域Ｒ３でも成立している。
【００６４】
裏側Ｓ２において微小突起領域４０を減らしても、高い防滑性が得られることが分かった。バックライン２２は突出部であり、その周方向位置は、クラブにおけるフェースの向きと相関している。このバックライン２２の位置を手の中で固定することで、フェースの向きが安定する。微小突起領域４０は突出部であるため、手からの高い押圧力が作用する。バックライン２２に微小突起領域４０を設けなくても、防滑性は維持されることが分かった。また、バックライン２２に微小突起領域４０を設けると、ゴムが劣化した際に亀裂が入りやすくなることが分かった。更に、バックライン２２に微小突起領域４０を設けると、周方向の力が集中し摩耗や剥離しやすくなることが分かった。裏側Ｓ２に設けられた縦溝４４（図７（ａ）参照）により、十分な防滑性が得られることが分かった。裏側Ｓ２に配置される微小突起領域４０を抑制することで、微小突起領域４０の設置領域を抑制しつつ、バックライン２２の利点を生かすことができ、把持安定性、防滑性及び耐久性を高めることができる。把持安定性とは、ぐらつきが抑制されて手の中でグリップが安定する特性を意味する。把持安定性が高まることで、ナイスショットの確率が向上する。
【００６５】
グリップ８では、第３領域Ｒ３における微小突起領域４０の面積は、第２領域Ｒ２における微小突起領域４０の面積よりも大きい。
【００６６】
第２領域Ｒ２において微小突起領域４０を減らしても、十分な防滑性が得られることが分かった。これは、ゴルファーがグリップ８を握ったとき、左手が右手によって押さえつけられているためと考えられる。つまり、左手は右手に比べて滑りにくい状態にあるためと考えられる。また、通常、左手にはグローブが装着されるが、右手にはグローブが装着されない。この点からも、左手の領域である第２領域Ｒ２には、微小突起領域４０を減らす余地があることが分かった。第２領域Ｒ２に配置される微小突起領域４０を抑制することで、微小突起領域４０の設置領域を抑制しつつ、防滑性及び耐久性を高めることができる。
【００６７】
したがって、第１領域Ｒ１において、裏側Ｓ２に微小突起領域４０を有さない削減領域４２を設けることができる。即ち、上述の通り、周方向範囲（２４５°〜２９５°）を削減領域４２とすることができる。また、周方向範囲（２３５°〜３０５°）を削減領域４２とすることができる。また、周方向範囲（２２５°〜３１５°）を削減領域４２とすることができる。
【００６８】
指において、第１関節と第２関節との間の部分が中節とも称される。左手及び右手に関して、各指の中節と掌とが当たる部分に微小突起領域４０を設けることで、防滑性が効果的に高まることが分かった。この観点から、第１領域Ｒ１において、バックライン２２付近では微小突起領域４０を削減しつつ、グリップ８の左側面（０°側）及び右側面（１８０°側）には微小突起領域４０を配置することが有効であることが分かった。このため、グリップ８では、第１領域Ｒ１では、周方向範囲（９０°〜２７０°）における微小突起領域４０の占有率が、裏側Ｓ２における微小突起領域４０の占有率よりも大きくされている。また、第１領域Ｒ１では、周方向範囲（９０°〜２７０°）における微小突起領域４０の面積が、裏側Ｓ２における微小突起領域４０の面積よりも大きい。第２領域Ｒ２及び第３領域Ｒ３でもこの関係が成立している。これらの構成では、バックライン２２付近の微小突起領域４０を削減しつつ、防滑性及び耐久性を高めることができる。
【００６９】
左右の側面に微小突起領域４０を配置しつつ、バックライン２２における微小突起領域４０を削減する観点から、第１領域Ｒ１では、周方向範囲（１３５°〜２２５°）における微小突起領域４０の占有率が、周方向範囲（２２５°〜３１５°）における微小突起領域４０の占有率よりも大きくされている。第１領域Ｒ１では、周方向範囲（１３５°〜２２５°）における微小突起領域４０の面積が、周方向範囲（２２５°〜３１５°）における微小突起領域４０の面積よりも大きい。この関係が、第２領域Ｒ２及び第３領域Ｒ３でも成立している。更に、第１領域Ｒ１では、周方向範囲（２７０°〜９０°）における微小突起領域４０の占有率が、裏側Ｓ２における微小突起領域４０の占有率よりも大きい。第１領域Ｒ１では、周方向範囲（２７０°〜９０°）における微小突起領域４０の面積が、裏側Ｓ２における微小突起領域４０の面積よりも大きい。この関係は、第２領域Ｒ２及び第３領域Ｒ３でも成立している。よって、バックライン２２付近の微小突起領域４０を削減しつつ、防滑性及び耐久性を高めることができる。
【００７０】
左右の側面に微小突起領域４０を配置しつつ、バックライン２２における微小突起領域４０を削減する観点から、第１領域Ｒ１では、周方向範囲（３１５°〜４５°）における微小突起領域４０の占有率が、周方向範囲（２２５°〜３１５°）における微小突起領域４０の占有率よりも大きい。第１領域Ｒ１では、周方向範囲（３１５°〜４５°）における微小突起領域４０の面積が、周方向範囲（２２５°〜３１５°）における微小突起領域４０の面積よりも大きい。この関係が、第２領域Ｒ２及び第３領域Ｒ３でも成立している。よって、バックライン２２付近の微小突起領域４０を削減しつつ、防滑性及び耐久性を高めることができる。
【００７１】
左右の側面に微小突起領域４０を配置しつつ、バックライン２２における微小突起領域４０を削減する観点から、第１領域Ｒ１では、周方向範囲（１８０°〜２２５°）における微小突起領域４０の占有率が、周方向範囲（２２５°〜２７０°）における微小突起領域４０の占有率よりも大きい。第１領域Ｒ１では、周方向範囲（１８０°〜２２５°）における微小突起領域４０の面積が、周方向範囲（２２５°〜２７０°）における微小突起領域４０の面積よりも大きい。この関係が、第２領域Ｒ２及び第３領域Ｒ３でも成立している。よって、バックライン２２付近の微小突起領域４０を削減しつつ、防滑性及び耐久性を高めることができる。
【００７２】
左右の側面に微小突起領域４０を配置しつつ、バックライン２２における微小突起領域４０を削減する観点から、周方向範囲（３１５°〜３６０°）における微小突起領域４０の占有率が、周方向範囲（２７０°〜３１５°）における微小突起領域４０の占有率よりも大きい。第１領域Ｒ１では、周方向範囲（３１５°〜３６０°）における微小突起領域４０の面積が、周方向範囲（２７０°〜３１５°）における微小突起領域４０の面積よりも大きい。この関係が、第２領域Ｒ２及び第３領域Ｒ３でも成立している。よって、バックライン２２付近の微小突起領域４０を削減しつつ、防滑性及び耐久性を高めることができる。
【００７３】
中節及び掌が当たる部分に微小突起領域４０を配置する観点から、第１領域Ｒ１の裏側Ｓ２における微小突起領域４０の占有率は、３％以上が好ましく、５％以上がより好ましく、７％以上がより好ましく、１０％以上がより好ましい。バックライン２２付近での微小突起領域４０を削減し、把持安定性及び耐久性を高める観点から、第１領域Ｒ１の裏側Ｓ２における微小突起領域４０の占有率は、３０％以下が好ましく、２５％以下がより好ましい。
【００７４】
正面側Ｓ１には、両手の親指及び各指の先端部が当たる。これらの当接部位に微小突起領域４０を設けることで、防滑性及び把持安定性が高まる。この観点から、第１領域Ｒ１の正面側Ｓ１における微小突起領域４０の占有率は、１５％以上が好ましく、２０％以上がより好ましく、２５％以上がより好ましい。耐摩耗性の観点から、第１領域Ｒ１の正面側Ｓ１における微小突起領域４０の占有率は、６０％以下が好ましく、５５％以下がより好ましい。
【００７５】
第１領域Ｒ１の正面側Ｓ１における微小突起領域４０の占有率がＭ１とされる。第１領域Ｒ１の裏側Ｓ２における微小突起領域４０の占有率がＭ２とされる。耐摩耗性を高めつつ防滑性、把持安定性及び耐久性を高める観点から、Ｍ１／Ｍ２は以下の範囲が好ましい。下限値としては、Ｍ１／Ｍ２は、２以上が好ましく、３以上がより好ましく、４以上がより好ましい。上限値としては、Ｍ１／Ｍ２は、１０以下が好ましく、９以下がより好ましく、８以下がより好ましい。
【００７６】
左手における、人差し指から小指までの中節、掌及び親指の当接部位に微小突起領域４０を設けることで、防滑性及び把持安定性が高まる。この観点から、第２領域Ｒ２の正面側Ｓ１における微小突起領域４０の占有率は、１０％以上が好ましく、２０％以上がより好ましく、２５％以上がより好ましい。耐摩耗性の観点から、第２領域Ｒ２の正面側Ｓ１における微小突起領域４０の占有率は、６０％以下が好ましく、５５％以下がより好ましい。
【００７７】
第２領域Ｒ２の正面側Ｓ１における微小突起領域４０の占有率がＭ３とされる。第２領域Ｒ２の裏側Ｓ２における微小突起領域４０の占有率がＭ４とされる。耐摩耗性を高めつつ防滑性、把持安定性及び耐久性を高める観点から、Ｍ３／Ｍ４は以下の範囲が好ましい。下限値としては、Ｍ３／Ｍ４は、２以上が好ましく、３以上がより好ましく、４以上がより好ましい。上限値としては、Ｍ３／Ｍ４は、１０以下が好ましく、９以下がより好ましく、８以下がより好ましい。
【００７８】
右手における、人差し指から小指までの中節、掌及び親指の当接部位に微小突起領域４０を設けることで、防滑性及び把持安定性が高まる。この観点から、第３領域Ｒ３の正面側Ｓ１における微小突起領域４０の占有率は、３０％以上が好ましく、４０％以上がより好ましく、４５％以上がより好ましい。耐摩耗性の観点から、第３領域Ｒ３の正面側Ｓ１における微小突起領域４０の占有率は、８０％以下が好ましく、７０％以下がより好ましい。
【００７９】
第３領域Ｒ３の正面側Ｓ１における微小突起領域４０の占有率がＭ５とされる。第３領域Ｒ３の裏側Ｓ２における微小突起領域４０の占有率がＭ６とされる。耐摩耗性を高めつつ防滑性、把持安定性及び耐久性を高める観点から、Ｍ５／Ｍ６は以下の範囲が好ましい。下限値としては、Ｍ５／Ｍ６は、２以上が好ましく、３以上がより好ましく、４以上がより好ましい。上限値としては、Ｍ５／Ｍ６は、１０以下が好ましく、９以下がより好ましく、８以下がより好ましい。
【００８０】
グリップ８では、エンドキャップ部３０の厚さＥ１が７ｍｍ以上とされている。厚さＥ１が大きくされることで、グリップ後端３５から５０ｍｍまでの領域への重量配分が高められている。
【００８１】
厚さＥ１を大きくすることで、エンドキャップ部３０の重量が高まり、且つエンドキャップ部３０が変形しやすくなる。このため、エンドキャップ部３０は、動吸振器として機能しうる。このエンドキャップ部３０により、振動吸収性が高まり、手に伝わる不快な振動が低減され、打撃フィーリングが向上する。
【００８２】
図８は、第２実施形態に係るグリップ５０が装着されたゴルフクラブの断面図である。このグリップ５０は、金属重量物ｗｔ１を有する。金属重量物ｗｔ１は、グリップ後端３５から５０ｍｍまでの領域の重量を増大させる。更に、金属重量物ｗｔ１は、エンドキャップ部３０の動吸振器としての機能を高め、振動吸収性を向上させる。
【００８３】
前記重量Ｗｂを高める観点、及び、振動吸収性の観点から、エンドキャップ部３０の厚さＥ１は、７ｍｍ以上が好ましく、８ｍｍ以上がより好ましい。過大なグリップ重量Ｗｇを避ける観点から、エンドキャップ部３０の厚さＥ１は、１５ｍｍ以下が好ましく、１３ｍｍ以下がより好ましく、１１ｍｍ以下がより好ましい。
【００８４】
コックが維持されやすくしてヘッドスピードを高める観点から、グリップ後端から５０ｍｍまでの重量Ｗｂは、１０ｇ以上が好ましく、１１ｇ以上がより好ましく、１２ｇ以上がより好ましい。過大なグリップ重量Ｗｇを避ける観点から、重量Ｗｂは、３０ｇ以下が好ましく、２５ｇ以下がより好ましく、２０ｇ以下がより好ましい。
【００８５】
上述の通り、金属重量物ｗｔ１が設けられてもよい。コックが維持されやすくしてヘッドスピードを高める観点から、金属重量物ｗｔ１の重量は、５ｇ以上が好ましく、７ｇ以上がより好ましく、９ｇ以上がより好ましい。過大なグリップ重量Ｗｇを避ける観点から、金属重量物ｗｔ１の重量は、２５ｇ以下が好ましく、２０ｇ以下がより好ましく、１５ｇ以下がより好ましい。
【００８６】
コックが維持されやすくしてヘッドスピードを高める観点から、重量Ｗｂのグリップ重量Ｗｇに対する割合は、３９％以上が好ましく、４０％以上がより好ましく、４１％以上がより好ましい。重量Ｗｂの好ましい範囲を考慮すると、重量Ｗｂのグリップ重量Ｗｇに対する割合は、５０％以下が好ましく、４９％以下がより好ましく、４８％以下がより好ましい。
【００８７】
図１において両矢印Ｌｃで示されるのは、グリップ後端３５からグリップ重心ＣＧまでの軸方向距離である。グリップ重心率は、距離Ｌｃのグリップ長さＬｇに対する割合である。コックが維持されやすくしてヘッドスピードを高める観点から、グリップ重心率は、３７％以下が好ましく、３６％以下がより好ましく、３５％以下がより好ましい。重量Ｗｂの好ましい範囲を考慮すると、グリップ重心率は、２０％以上が好ましく、２５％以上がより好ましく、３０％以上がより好ましい。
【００８８】
軽量グリップは、耐摩耗性が低い傾向にある。このため、上記効果は、軽量グリップにおいて更に有効である。この観点から、グリップの重量Ｗｇは、４０ｇ以下が好ましく、３８ｇ以下がより好ましく、３５ｇ以下がより好ましい。グリップ後端３５から５０ｍｍまでの領域に重量を配分する観点から、グリップの重量Ｗｇは、２５ｇ以上が好ましく、２８ｇ以上がより好ましく、３０ｇ以上がより好ましい。
【００８９】
図１において両矢印Ｌｇで示されているのは、グリップ８の長さである。長さＬｇは、グリップ後端３５から先端２０までの長さである。長さＬｇは、軸方向に沿って測定される。第１領域Ｒ１を確保し且つロゴ等の表示部も確保する観点から、長さＬｇは、２３０ｍｍ以上が好ましく、２４０ｍｍ以上がより好ましく、２５０ｍｍ以上がより好ましい。グリップの軽量化の観点から、長さＬｇは、２９０ｍｍ以下が好ましく、２８０ｍｍ以下がより好ましく、２７０ｍｍ以下がより好ましく、２６５ｍｍ以下がより好ましい。
【００９０】
グリップ８は、１層構造であってもよいし、複数層構造であってもよい。グリップ後端３５から５０ｍｍまでの領域に重量を配分する観点から、エンドキャップ部３０は、無発泡ゴムで形成されているのが好ましい。同じ観点から、筒部１０は、発泡ゴムで形成された部分を含むのが好ましい。
【００９１】
グリップ８の材質は限定されない。グリップ８の材質として、ゴム組成物及び樹脂組成物が例示される。このゴム組成物におけるゴムとしては、例えば、天然ゴム（ＮＲ）、エチレンプロピレンジエンゴム（ＥＰＤＭ）、スチレンブタジエンゴム（ＳＢＲ）、イソプレンゴム（ＩＲ）、ブタジエンゴム（ＢＲ）、クロロプレンゴム（ＣＲ）、アクリロニトリルブタジエンゴム（ＮＢＲ）などが挙げられる。特に、天然ゴム、又は天然ゴムに親和性の良いエチレンプロピレンジエンゴムもしくはスチレンブタジエンゴムなどをブレンド（混合）したものが、好ましい。
【００９２】
ゴム組成物にはオイルが配合されてもよい。このオイルとしては、例えばアロマチック系オイル、ナフテン系オイル、パラフィン系オイルなどが用いられうる。硫黄架橋がなされる場合、硫黄が配合される。グリップのゴム組成物には、例えば補強剤、充填剤、加硫促進剤、加硫助剤などが必要に応じて適宜配合されてもよい。さらに老化防止剤、加工助剤などが配合されてもよい。
【００９３】
グリップの材質として、樹脂組成物も用いられうる。この樹脂組成物に含まれる樹脂として、熱可塑性樹脂が挙げられる。この熱可塑性樹脂は、射出成形に用いられうる。この熱可塑性樹脂として、熱可塑性エラストマーが好ましく、ソフトセグメントとハードセグメントとを含む熱可塑性エラストマーがより好ましい。グリップ性と耐摩耗性との両立の観点から、ウレタン系熱可塑性エラストマーがより好ましい。
【００９４】
上記ゴム組成物が発泡ゴムとされる場合、発泡剤が配合されうる。この発泡剤の一例は、熱分解型発泡剤である。この熱分解型発泡剤として、アゾジカルボンアミドのようなアゾ化合物、ジニトロソペンタメチレンテトラミンのようなニトロソ化合物及びトリアゾール化合物が例示される。
【００９５】
グリップ８の製法は限定されない。グリップ８は、公知の製法により製造されうる。この製法として、プレス成形と射出成形とが例示される。
【００９６】
プレス成形は、例えば、エンドキャップ部３０となる成形前材料と、筒部１０となるシート材料とを金型にセットして、金型を閉じて加熱及び加圧する製法を採用することができる。エンドキャップ部３０となる成形前材料に金属重量物ｗｔ１を包み込んでおくことで、金属重量物ｗｔ１が内蔵されたエンドキャップ部３０を成形することができる。
【実施例】
【００９７】
［実施例１］
前述した第１実施形態と同じグリップを作製した。微小突起領域において、微小突起Ｐ１の最大幅Ｗ１は１．０ｍｍとされ、微小突起Ｐ１同士の間隔ｔ１（細溝幅ｄ１、ｄ２）は０．２ｍｍとされた。シャフト挿入孔１８はマンドレルにより成形した。バックラインを成形するため、周方向における一部に平坦部を設けたマンドレルを用いた。このマンドレル及び材料を上型及び下型を有するグリップ金型にセットし、プレス成形を行って、バックラインを有するグリップを得た。またこのグリップを４０ｇのシャフトの後端部に取り付け、このシャフトの先端部にヘッドを取り付けて、図１に示すクラブ（ドライバー）を得た。実施例１の仕様及び評価結果が下記の表１に示される。
【００９８】
なお、表１において占有率Ａ１とは、前記第１領域Ｒ１の、１８０°から２２５°までの周方向範囲における微小突起領域の占有率である。また、占有率Ａ２とは、第１領域Ｒ１の、２２５°から２７０°までの周方向範囲における微小突起領域の占有率である。また、占有率Ｂ１は、第１領域Ｒ１の、３１５°から３６０°までの周方向範囲における微小突起領域の占有率である。また、占有率Ｂ２は、第１領域Ｒ１の、２７０°から３１５°までの周方向範囲における微小突起領域の占有率である。また、占有率Ｃは、第１領域Ｒ１の、２４５°から２９５°までの周方向範囲における微小突起領域の占有率である。
【００９９】
［実施例２−３及び比較例１−３］
下記の表１に示され仕様とした他は実施例１と同様にして、実施例２−３及び比較例１−３に係るグリップ及びゴルフクラブを得た。
【０１００】
評価方法は以下の通りである。
【０１０１】
＜振動吸収性＞
ハンディキャップが１０〜２０であり右利きである１０名のテスターが、左手のみにグローブを装着して、実打テストを行った。各テスターが各クラブを５球ずつ打撃し、振動吸収性についてＡ及びＢの２段階で官能評価を行った。ＡがＢよりも評価が高い。最も多かった評価結果が下記の表１に示されている。
【０１０２】
＜ヘッドスピード＞
上記実打テストにおいてヘッドスピードが計測された。各クラブあたり５０のデータの平均値が、下記の表１に示されている。
【０１０３】
＜把持安定性＞
上記実打テストにおいて、把持安定性についてＡ、Ｂ及びＣの３段階で官能評価を行った。Ａが最も高い評価であり、Ｃが最も低い評価である。最も多かった評価結果が、下記の表１に示されている。
【０１０４】
＜耐摩耗性＞
上記実打テストが終了した後、更に上記テスターが各クラブで５０球ずつ打撃した。この結果、各クラブで５５０球ずつ打撃がなされた。この後、グリップの表面を観察して摩耗の状態を調べ、耐摩耗性をＡ、Ｂ及びＣの３段階で評価した。Ａが最も高い評価であり、Ｃが最も低い評価である。この評価結果が、下記の表１に示されている。
【０１０５】
【表１】
2020182545.tif 000003
【０１０６】
表１に示されるように、実施例は、比較例に比べて評価が高い。
【０１０７】
上述した実施形態に関して、以下の付記を開示する。
［付記１］
シャフトが挿入される筒部とエンドキャップ部とを有しており、
前記筒部の外面が、最大幅が０．２ｍｍ以上１．２ｍｍ以下である複数の微小突起が０．０５ｍｍ以上０．７ｍｍ以下の間隔で配置された微小突起領域を有しており、
前記微小突起領域が、グリップ後端からの軸方向距離が０ｍｍから２１０ｍｍまでの第１領域に配置されており、
後端から５０ｍｍまでの重量が、１０ｇ以上であり且つグリップ総重量の３９％以上であるゴルフクラブ用グリップ。
［付記２］
前記筒部の外面が周方向において正面側と裏側とに区画されるとき、前記第１領域において、前記正面側における前記微小突起領域の占有率が、前記裏側における前記微小突起領域の占有率よりも大きい付記１に記載のグリップ。
［付記３］
前記筒部が、バックラインを有している付記１又は２に記載のグリップ。
［付記４］
前記第１領域が、グリップ後端からの軸方向距離が０ｍｍから１３０ｍｍまでの第２領域と、グリップ後端からの軸方向距離が１３０ｍｍから２１０ｍｍまでの第３領域とに区画されるとき、
前記第３領域における前記微小突起領域の面積が、前記第２領域における前記微小突起領域の面積よりも大きい付記１から３のいずれか１項に記載のグリップ。
［付記５］
前記グリップの正面の周方向位置が９０°とされ、グリップ後端側から見たときの時計回りで周方向範囲が決定されるとき、
前記第１領域Ｒ１において、１８０°から２２５°までの周方向範囲における前記微小突起領域の占有率が、２２５°から２７０°までの周方向範囲における前記微小突起領域の占有率よりも大きく、
前記第１領域Ｒ１において、３１５°から３６０°までの周方向範囲における前記微小突起領域の占有率が、２７０°から３１５°までの周方向範囲における前記微小突起領域の占有率よりも大きい付記１から４のいずれか１項に記載のグリップ。
［付記６］
前記第１領域Ｒ１において、２４５°から２９５°までの周方向範囲における前記微小突起領域の占有率が１０％以下である付記５に記載のグリップ。
［付記７］
前記エンドキャップ部の厚さが７ｍｍ以上である付記１から６のいずれか１項に記載のグリップ。
［付記８］
前記エンドキャップ部に、比重が７以上の金属重量物が内蔵されている付記１から７のいずれか１項に記載のグリップ。
【符号の説明】
【０１０８】
２・・・ゴルフクラブ
４・・・ゴルフクラブヘッド
６・・・シャフト
８・・・グリップ
１０・・・筒部
１２・・・筒部の外面
１４・・・筒部の内面
１８・・・シャフト挿入孔
２０・・・グリップの先端
２２・・・バックライン
３０・・・エンドキャップ部
４０・・・微小突起領域
Ｚ１・・・シャフトの中心線
Ｒ１・・・第１領域
Ｒ２・・・第２領域
Ｒ３・・・第３領域
Ｓ１・・・正面側
Ｓ２・・・裏側
Ｓ（θ１〜θ２）・・・グリップ後端側から見たときの時計回りにおけるθ１°からθ２°までの周方向範囲
【図１】
2020182545.tif 000004
【図２】
2020182545.tif 000005
【図３】
2020182545.tif 000006
【図４】
2020182545.tif 000007
【図５】
2020182545.tif 000008
【図６】
2020182545.tif 000009
【図７】
2020182545.tif 000010
【図８】
2020182545.tif 000011